(57)【特許請求の範囲】
【請求項１】
少なくとも番組ガイド情報を含んだ各種放送信号について受信選局動作を行う外部受信手段と、
該外部受信手段からの放送信号を入力する外部入力手段と、
供給された放送信号を記録することができる記録手段と、
上記外部受信手段で受信選局され、上記外部受信手段から入力された放送信号から番組ガイド情報を抽出し、出力できるとともに、出力された番組ガイド情報に基づいた操作入力に応じて、上記外部受信手段の選局動作を制御し、上記記録手段に供給すべき放送信号を出力させることができる第１の制御手段と、
上記第１の制御手段の機能がオフとされている際に、操作入力に応じて、上記外部受信手段の選局動作を制御し、上記外部受信手段から、上記記録手段に供給すべき放送信号を出力させることができる第２の制御手段と、
を備えて構成され、上記第２の制御手段は、上記第１の制御手段又は第２の制御手段の選択制御を行うことを特徴とする記録装置。
【請求項２】
上記第１の制御手段又は第２の制御手段は、上記記録手段に放送信号を記録させる際に選択制御がされることを特徴とする請求項１に記載の記録装置。
【請求項３】
上記第１の制御手段又は第２の制御手段は、順次ポーリングを行って選択制御を行うことを特徴とする請求項１に記載の記録装置。
【発明の詳細な説明】
【０００１】
【発明の属する技術分野】
本発明はケーブルにより伝送される多数のチャンネルから所望の番組のチャンネルの選局を行うことができる記録装置に関するものである。
【０００２】
【従来の技術】
テレビジョン放送等の番組は空間を介して電波で伝送されたり、ケーブルを介して有線で伝送されるケーブルテレビジョン（ＣＡＴＶ）によりユーザに伝送されている。
有線放送とされているケーブルテレビジョンの場合、ユーザが特定の番組放送提供会社に加入することによりケーブルボックスと呼ばれる専用のチューナー装置が貸与されると共に、専用のリモコンによって多数の番組を選局することができるようになされている。
このようなケーブルテレビジョン番組には、契約することで視聴することができる有料番組の他に、空間を介して伝送される無料の放送番組も含まれているため、ユーザはケーブルテレビジョン番組の中から、選択を行うことで、特定の地域内の全ての番組をテレビジョン受像機により視聴したり、記録装置に録画したりすることができる。
【０００３】
ところで、ケーブルテレビジョン番組の選択は印刷された番組表を見ながら行うことが一般に行われているが、伝送されるチャンネル数が多い場合、例えば１５０チャンネルになると、１５０チャンネルの番組が掲載された新聞や刊行物のの番組表から好みの番組をサーチすることは容易ではない。
【０００４】
そこで、容易に所望の番組のサーチを行えるように、配送される各チャンネルの番組表のデータをテレビジョン信号に支障がないように、特定のチャンネルのビデオ信号の垂直ブランキング期間に挿入して伝送するようにし、ユーザは伝送されてきた番組表データをテレビジョン受像機に画面表示させることにより、チャンネルのサーチを行って所望のチャンネルの番組を選択することが行われている。この番組表データは電子番組ガイドと称され、電子番組ガイドはスポーツ，ニュース，映画等の種類毎の番組に分けて画面表示することもでき、この電子番組ガイドの表示画面から番組を選択して受信したり、その番組の録画予約を行うことができるようにされている。
【０００５】
ここで、テレビジョン受像機等に表示される電子番組ガイドの番組ガイド画面の一例を図５に示す。
１段目の欄は番組ガイド画面のタイトルであり、Ｐｒｏｇｒａｍ  Ｇｕｉｄｅ  と表示されており、２段目の欄は月日および時間を示す欄であり、ＳＥＰ  ７  の月日と、８  ：００  ｐｍ  と  ９：００  ｐｍ  の時間を示すグリッドが２つ示されている。３段目以降の欄は左端にチャンネルが示されており、その右側にこのチャンネルに対応して、２段目に表示された月日およびグリッドの示す時間で放送される番組名が表示されている。例えば、チャンネルＣＳＰ２においては８  ：００  ｐｍ  から１時間ＮＥＷＳ１  が放送され、  ９：００  ｐｍ  からＮＥＷＳ２  が放送されることが示されている。また、チャンネル２６では８  ：００  ｐｍ  から２時間Ｆａｍｏｕｓ  Ａｍｅｒｉｃａｎ  の番組が放送されることが示されている。
【０００６】
このような番組ガイド画面を表示して記録装置で録画予約を行うことが可能であり、その方法を図６を参照しながら説明すると、図６（ａ）に示すような番組ガイド画面をテレビジョン受像機等のモニターに表示して、録画予約したい番組が表示されるまで画面をスクロールする。そして、録画予約したい番組が表示されたら、カーソル移動キーを操作して録画予約したい番組の欄にカーソルを移動させる。すると、図６（ａ）に示すようにカーソルの移動した欄の表示が変化する。この変化は該当欄の背景カラーの変化や、白ぬき等の表示態様の変更により行われる。
【０００７】
図示する例では、ＳＥＰ  ７  の８  ：００  ｐｍ  から２時間チャンネルＳＨＯＷにおいて放送されるＣｉｔｙ  Ｓｌｉｃｋｅｒｓ  の番組欄にカーソルが移動されて、その番組欄の表示が変化している。この状態において、録画予約ボタン（Ｒｅｃ  ｋｅｙ  ）を押すことにより、この番組が録画予約されるようになる。
すると、表示画面が図６（ｂ）に示すように録画予約された番組を表示する画面となり、ＳＥＰ  ７  の８  ：００  ｐｍ  から２時間チャンネルＳＨＯＷにおいて放送されるＣｉｔｙ  Ｓｌｉｃｋｅｒｓ  が録画予約されたことを確認することができる。
【０００８】
また、画像を記録する記録装置（ＶＴＲ）には、一般に録画月日および録画時間や録画チャンネルを設定することにより録画予約する予約手段が備えられている。この一例を図７を参照しながら説明すると、図７はこの予約手段における表示画面を示しており、この表示画面においては録画月日として７月６日  ＷＥＤ  が、録画開始時刻として午前７  ：００    が、録画終了時刻として午前８  ：００が、録画チャンネルとして６チャンネルが入力された時の表示画面の例が示されている。ユーザはこの表示画面を確認しながら録画予約を終了するようにしている。
【０００９】
このように、記録装置にはリモコン装置等によって録画月日および録画時間や録画チャンネルをユーザが設定することにより録画予約を行う予約手段と、表示された電子番組ガイドを利用して録画予約を行う予約手段との２つの予約手段が備えられているものがある。
【００１０】
ところで、ケーブルボックスによって選局されたケーブルテレビジョン番組のテレビジョン信号を記録装置に入力する場合は、ケーブルボックスで選択された映像信号を記録装置に入力することになるが、記録装置に入力されるケーブルテレビジョン番組は、既にケーブルボックスによってチャンネルが選局されていることになる。よって、記録装置でケーブルボックスから入力されるケーブルテレビジョン番組の選局を行うことはできないようになされている。
【００１１】
しかしながら、上述したようにケーブルテレビジョン番組には空間を伝送される無料番組も含まれているため、つまり、ほぼ全ての番組がケーブルを介して伝送されているため、例えばケーブルテレビジョン番組の録画予約を行った場合、記録装置によって、録画予約されているケーブルテレビジョン番組のチャンネルを自動的に選局できるようにすることが使用形態上好ましい。
そこで、電子番組ガイドによって録画予約を行った場合、録画予約時間なるとケーブルボックスに対応したチャンネルコード信号を送出し、ケーブルボックスのチャンネルをコントロールすることができる記録装置等が開発されている。
【００１２】
図８に、このような記録を行うことができる録画装置の一例を示す。
この図に鎖線で示す録画装置３０には、ケーブルボックス２０によって選局されたテレビジョン信号が、ケーブルボックス２０のＲＦ出力チャンネルの周波数に変換され、チューナ回路３に入力されている。
【００１３】
チューナー回路３は、ユーザーによってケーブルボックスのＲＦ出力チャンネルが選択された場合、ユーザーにより選局されたチャンネルのテレビジョン信号を例えば、映像中間周波数信号に変換して録画回路４に入力する共に、電子番組ガイド装置３１に設けられているマイクロコンピュータＢ（以下、「μｃｏｎＢ」という）６に入力する。
なお、録画回路４の出力は図示されていない録画装置に供給され、予約録画を行うようになされている。
【００１４】
マイクロコンピュータＡ（以下、「μｃｏｎＡ」という）３２は、リモコン入力回路８からリモコン信号が入力されると、このリモコン信号に対応して、例えば予約表示情報等を表示管や、ＬＥＤ等の表示手段９に出力すると共に、録画回路４、録画装置等の制御を行っている。
また、リモコン入力回路８は、リモコン１０のキーを操作した時のリモコンキー情報を受信して、変調されたリモコンキー情報を復調して復調されたリモコンキー情報をμｃｏｎＡ３２に送出している。
【００１５】
電子番組ガイド装置３１には、μｃｏｎＢ６、メモリ（ＳＲＡＭ）１１、ケーブルボックスをコントロールするマイクロコンピュータ（以下、「μｃｏｎＣ」）３４等が設けられている。μｃｏｎＢ６は、スライス／デコード回路（Ｓｌｉｃｅ／Ｄｅｃｏｄｅ）６ａと表示回路６ｂとを備えており、チューナー回路３から出力されたビデオ信号はμｃｏｎＢ６のスライス／デコード回路６ａに入力されている。
【００１６】
そしてμｃｏｎＢ６は、チューナー回路３で復調された映像信号の垂直ブランキング期間（ＶＢＩ）に挿入されている電子番組ガイドデータを取り出して、デコードした後メモリ（ＳＲＡＭ）１１に蓄積している。この場合、スライス／デコード回路６ａが電子番組ガイドデータの波形整形を行い、波形整形を行った後、電子番組ガイドデータのデコードを行っている。
【００１７】
また、先に示したようにデコードされた電子番組ガイドをテレビジョン受像機２１の画面に表示するために、表示用のフレームメモリを備えている表示回路６ｂから端子Ｔ２  を介して映像信号が出力されている。なお、表示回路６ｂにはキャラクタジェネレータ等が備えられている。
そして、テレビジョン受像機２１の画面に電子番組ガイド画面を表示させ、この電子番組ガイド画面をリモコン１０等の操作キーによって操作しながら所望の番組を指定してその番組の録画予約を行うことができる。
【００１８】
μｃｏｎＣ３４は、先に述べたケーブルテレビジョンの複数のメーカーのケーブルボックス２０に対応したリモコン信号を出力することができるものであり、μｃｏｎＢ６から通信バスを介して例えばケーブルボックス番号、チャンネル番号等のチャンネル情報が入力されると、ケーブルボックス２０に対応するリモコン信号を端子Ｔ３  を介して出力するようになされており、これにより発光部１３からケーブルボックス２０に対してリモコン信号が送出されることになる。
【００１９】
つまり、このような構成とされる従来の録画装置３０においては、電子番組ガイドによって録画予約がされている場合、録画予約時間になるとμｃｏｎＢ６から通信バスを介してチャンネル情報がμｃｏｎＣ３４に出力され、これによりケーブルボックス２０の受信チャンネルをコントロールする共に、μｃｏｎＢ６からμｃｏｎＡ３２に録画予約情報が出力され、これにより録画回路４の録画動作を制御する。またこの時、μｃｏｎＡ３２によってケーブルボックス２０から入力されるテレビジョン信号を受信するように、例えば外部入力になっていれば、ケーブルボックス２０のＲＦ出力チャンネルを選局するように制御されることになる。
【００２０】
【発明が解決しようとする課題】
ところで、上記したような録画装置３０においては、電子番組ガイド装置３１の受信契約前、つまり電子番組ガイドによって録画予約を行なうことができない時や、受信契約後でもユーザーが電子番組ガイドを利用しないで例えばリモコン１０等で録画予約を行う場合は、ケーブルボックス２０をコントロールするμｃｏｎＣ３４を利用することができないという問題点があった。
【００２１】
このため、電子番組ガイドの受信契約をしていない場合、或は電子番組ガイドを利用しないでケーブルテレビジョン番組の録画予約を行う場合は、ケーブルボックス２０のチャンネルを専用のリモコンを使用して制御し、予め録画したい番組に選局しなければならないという問題点があった。
【００２２】
本発明はこのような問題点を鑑みてなされたもので、電子番組ガイドの受信契約前、或は電子番組ガイドを利用していない時でも、ケーブルボックスのチャンネルの制御を簡単に行うことができる記録装置を提供することを目的としている。
【００２３】
【課題を解決するための手段】
上記目的を達成するために、少なくとも番組ガイド情報を含んだ各種放送信号について受信選局動作を行う外部受信手段と、この外部受信手段からの放送信号を入力する外部入力手段と、供給された放送信号を記録することができる記録手段と、上記外部受信手段で受信選局され、入力された放送信号から番組ガイド情報を抽出し、出力できるとともに、出力された番組ガイド情報に基づいた操作入力に応じて、上記外部受信手段の選局動作を制御し、記録手段に供給すべき放送信号を出力させることができる第１の制御手段と、この第１の制御手段の機能がオフとされている際に、操作入力に応じて、上記外部受信手段の選局動作を制御し、外部受信手段から、記録手段に供給すべき放送信号を出力させることができる第２の制御手段とを備え、上記第２の制御手段は、上記第１の制御手段又は第２の制御手段の選択制御を行うように構成する。
【００２４】
本発明によれば、電子番組ガイドの受信契約をしていない場合、或は電子番組ガイドを利用しないでケーブルテレビジョン番組の録画予約を行った場合でも、外部の受信装置のチャンネルを録画予約されているチャンネルに選局することができるようになる。
【００２５】
【発明の実施の形態】
本発明の録画装置の実施の形態の構成を図１に示す。
この図に鎖線で示す本実施の形態である録画装置１には、ケーブルボックス２０で選局されたテレビジョン信号がケーブルボックス２０のＲＦ出力チャンネルの周波数に変換され、チューナ回路３に入力される。
チューナ回路３は、ユーザーによってケーブルボックス２０のＲＦ出力チャンネル（例えば、２チャンネル又は３チャンネル）が選択された場合、ケーブルボックス２０により選局されたチャンネルのテレビジョン信号を映像信号に変換して録画回路４に入力し、録画可能となるようにすると共に、選択されたチャンネルのテレビジョン信号に電子番組ガイド情報があれば、電子番組ガイド装置５に設けられているマイクロコンピュータＢ（以下、「μｃｏｎＢ」という）６にも入力される。
【００２６】
つまり、後述するが録画装置１のリモコン１０等のチャンネルキーによってケーブルボックス２０のチャンネルを選局することができるように設定した場合、チューナー回路３は、ケーブルボックス２０のＲＦ出力チャンネルに固定されることになり、選局を行うことなくケーブルボックス２０から入力されるテレビジョン信号を映像信号に変換して出力する外部入力手段とされることになる。
【００２７】
リモコン入力回路８は、リモコン１０のキーを操作した時のリモコンキー情報を受信して、変調されたリモコンキー情報を復調して復調されたリモコンキー情報をマイクロコンピュータＡ（以下、「μｃｏｎＡ」という）７に送出している。
【００２８】
μｃｏｎＡ７は、リモコン入力回路８からリモコン信号が入力されると、このリモコン信号に応じた表示情報等を表示管、ＬＥＤ等の表示手段９に出力すると共に、録画回路４の制御を行っている。また、μｃｏｎＡ７はリモコン１０等のチャンネルキーを操作することで、ケーブルボックス２０のチャンネルを選局を行うように設定することができる。
【００２９】
この場合、ケーブルボックス２０から入力されるテレビジョン信号を受信するようにケーブルボックス２０のＲＦ出力チャンネルにチューナ回路３が固定されると共に、リモコン入力回路８から入力されるチャンネル情報がパルス出力回路７ａからパルス信号としてケーブルボックス２０をコントロールするマイクロコンピュータ（以下、「μｃｏｎＣ」という）１２のパルス受信回路１２ａに出力される。
このパルス出力回路７ａから出力されるパルス信号は、図３に示すように数ビット単位で１フレームを構成しており、このフレームの組み合わせでチャンネル番号、及びケーブルボックス番号を指定している。
【００３０】
さらにμｃｏｎＡ７は、通信バスによってμｃｏｎＢ６と接続されているため、電子番組ガイドによる録画予約情報が入力されており、この録画予約情報、或はリモコン入力回路８からのチャンネル情報に応じて、コントロールライン１４を介してμｃｏｎＣ１２にコントロール信号を出力すると共に、録画予約時間になると録画回路４を録画動作を行うように制御する。
【００３１】
電子番組ガイド装置５はμｃｏｎＢ６、メモリ（ＳＲＡＭ）１１と共に、ケーブルボックス２０をコントロールするμｃｏｎＣ１２が含まれるように構成されている。、μｃｏｎＢ６は、スライス／デコード回路（Ｓｌｉｃｅ／Ｄｅｃｏｄｅ）６ａと表示回路６ｂとを備えており、チューナー回路３からのビデオ信号はμｃｏｎＢ６のスライス／デコード回路６ａに入力されている。
【００３２】
μｃｏｎＢ６は、受信されたビデオ信号に挿入された電子番組ガイドに関する制御を行うマイコンであり、チューナー回路３で選択された映像信号の垂直ブランキング期間（ＶＢＩ）に挿入されている電子番組ガイドデータ、又はケーブルボックス２０から供給されているケーブルテレビジョン信号の電子番組ガイドデータを取り出して、デコードした後メモリ（ＳＲＡＭ）１１に蓄積している。この場合、スライス／デコード回路６ａが電子番組ガイドデータの波形整形を行い、波形整形を行った後、電子番組ガイドデータのデコードを行っている。
【００３３】
なお、本実施の形態ではチューナ回路３の選局は、ケーブルボックス２０のＲＦ出力チャンネルに固定されることになるため、ケーブルテレビジョン信号の電子番組ガイド情報を取り出すことになる。
【００３４】
また、デコードされた電子番組ガイドをテレビジョン受像機２１の画面に表示するために、表示回路６ｂによりビデオ信号に変換して出力端子Ｔ２  から出力している。なお、表示回路６ｂにはキャラクタジェネレータ等が備えられている。そして、テレビジョン受像機２１の画面に電子番組ガイド画面を表示させ、この電子番組ガイド画面において、録画装置１のリモコン１０等の操作キーによって、所望の番組を指定してその番組の録画予約を行うことができる。
【００３５】
また、μｃｏｎＢ６は通信バスによってμｃｏｎＣ１２と接続されており、電子番組ガイドによってケーブルテレビジョン番組の録画予約がされている場合、録画予約時間になると録画予約がされているチャンネル情報をμｃｏｎＣ１２に出力する。
【００３６】
μｃｏｎＣ１２は、複数のメーカのケーブルボックスに対応したリモコン信号を出力することができるようになされおり、例えば電子番組ガイドによって録画予約がされ、録画予約時間になると、通信バスを介してμｃｏｎＢ６から録画予約されているケーブルテレビジョン番組のチャンネル情報が入力され、パルス受信回路１２ａでケーブルボックス２０に対応したリモコン信号を端子Ｔ３  を介して出力する。これにより発光部１３からリモコン信号が送出され、ケーブルボックス２０のチャンネルの選局を行うことができるようにしている。
【００３７】
さらに、本発明の実施の形態の、例えばユーザーがリモコン１０等のチャンネルキーを操作した場合、μｃｏｎＣ１２はパルス出力回路７ａからケーブルテレビジョン番組のチャンネル情報とされるパルス信号が入力され、パルス受信回路１２ａでケーブルボックス２０のチャンネルに対応したリモコン信号を出力する。これにより発光部１３からリモコン信号が送出され、ケーブルボックス２０のチャンネルの選局を行うことができるようにしている。
【００３８】
ここで、μｃｏｎＣ１２の動作を図３のフローチャートを参照して説明する。ユーザーが例えばリモコン１０のチャンネルキーを操作した場合、μｃｏｎＣ１２にコントロールライン１４からコントロール信号Ａ（例えば、Ｈｉｇｈ信号）が入力される（Ｆ１０１）。この時、μｃｏｎＣ１２はμｃｏｎＡ７のパルス出力回路７ａからのパルス信号にケーブルボックス２０のコントロール要求が有るか否かを判定する（Ｆ１０２）。そして、ケーブルボックス２０のコントロール要求が有ると判別すると、パルス出力回路７ａからのパルス信号をパルス受信回路１２ａでケーブルボックス２０に対応したリモコン信号に変換し、発光部１３から送出して、ケーブルボックス２０のチャンネルをコントロールする（Ｆ１０３）。そして、ケーブルボックス２０のコントロール終了後、つまりリモコン信号を送出後、ステップＦ１０１に戻って再びコントロール信号の監視を行う。
また、ステップＦ１０２でパルス出力回路７ａからのパルス信号にケーブルボックス２０のコントロール要求が含まれていないと判別した時も、ステップＦ１０１に戻ってコントロール信号の監視を行う。
【００３９】
また、電子番組ガイドによって録画予約が行われ、録画予約時間になるとコントロールライン１４からコントロール信号Ｂ（例えば、Ｌｏｗ  信号）が入力される（Ｆ１０１）。この時、μｃｏｎＣ１２はμｃｏｎＢ６からのチャンネル情報にケーブルボックス２０のコントロール要求が有るか否かを判定する（Ｆ１０４）。そして、ケーブルボックス２０のコントロール要求が有ると判別すると、μｃｏｎＢ６からのチャンネル情報をケーブルボックス２０に対応したリモコン信号に変換し、発光部１３から送出し、ケーブルボックス２０のチャンネルをコントロールする（Ｆ１０５）。そして、ケーブルボックス２０のコントロール終了後、つまりリモコン信号を送出後、ステップＦ１０１に戻って再びコントロール信号の監視を行う。また、ステップＦ１０４でμｃｏｎＢ６からのチャンネルコード信号にケーブルボックス２０のコントロール要求が含まれていないと判別した時も、ステップＦ１０１に戻ってコントロール信号の監視を行う。
【００４０】
このように本発明の実施の形態である録画装置１においては、従来から設けられているケーブルボックス２０をコントロールするμｃｏｎＣ１２に、パルス受信回路１２ａを設けると共に、μｃｏｎＡ７からコントロールライン１４を介してコントロール信号、及びμｃｏｎＡ７のパルス出力回路７ａからパルス信号を入力するようにしている。
そして、コントロールライン１４からのコントロール信号によって、パルス出力回路７ａからのチャンネル情報とされるパルス信号とμｃｏｎＢ６からのチャンネル情報との切換え制御を行い、ケーブルボックス２０に対応したリモコン信号を発光部１３から送出することができるようにしている。
【００４１】
なお、例えば電子番組ガイドによって予約したチャンネルの録画が行われている際に、録画装置１のリモコン１０等によってケーブルボックス２０のチャンネル選局が行われた場合は、録画内容が混乱しないようにケーブルボックス２０のチャンネルが切り換わらないようにコントロールライン１４のコントロール信号が制御されている。
【００４２】
よって、電子番組ガイドの契約前や、電子番組ガイドの契約後、電子番組ガイドを利用しないでケーブルテレビジョン番組の録画予約を行う場合でも、録画予約時間になると自動的にケーブルテレビジョン番組の選局を行うことができると共に、複数のチャンネル切換の要求が任意のタイミングで発生しても対応することができる。
【００４３】
また録画予約時に限らず、テレビジョン受像機により視聴する際には、例えば録画装置１のリモコン１０でケーブルボックス２０のチャンネルの選局を行うようにすれば、ケーブルボックス２０のリモコンを使用する必要がなくなるため、使い勝手が向上するという利点もある。
【００４４】
次に、ケーブルボックス２０をコントロールするμｃｏｎＣ１２にコントロールライン１４を接続することなく、チャンネル情報の切換え制御の処理を行う場合について図４のフローチャートを参照して説明する。
この場合、μｃｏｎＣ１２はμｃｏｎＢ６から通信バスを介してケーブルボックス２０のチャンネルのコントロール要求が有るか否かが判定され（Ｆ２０１）、例えば電子番組ガイドによって録画予約が行われておらず、Ｎｏと判別されると、ステップＦ２０２でパルス出力回路７ａからケーブルボックス２０のチャンネルのコントロール要求が有るか否かが判定される（Ｆ２０２）。ここで、ケーブルボックス２０のコントロール要求がＮｏと判別されると、ステップＦ２０１に再び戻ることになる。
【００４５】
また、ステップＦ２０１でμｃｏｎＢ６からケーブルボックス２０のチャンネルのコントロール要求が有ると判別されると、つまり電子番組ガイドによって録画予約が行われ、録画予約時間になった場合、μｃｏｎＢ６から通信バスを介して入力されるチャンネル情報をケーブルボックス２０に対応したリモコン信号に変換して、発光部１３から送出し、ケーブルボックス２０のチャンネルをコントロールする（Ｆ２０３）。
【００４６】
また、ステップＦ２０２でμｃｏｎＡ７からケーブルボックス２０のチャンネルのコントロール要求が有ると判別されると、つまり例えば録画装置１のリモコン１０等によって録画予約がなされ、録画予約時間になった場合、パルス出力回路７ａから入力されるチャンネル情報とされるパルス信号を、パルス受信回路１２ａでケーブルボックス２０に対応したリモコン信号に変換して、発光部１３から送出し、ケーブルボックス２０のチャンネルをコントロールする（Ｆ２０４）。
【００４７】
このようにμｃｏｎＣ１２でμｃｏｎＢ６から入力されるチャンネル情報、及びμｃｏｎＡ７からのチャンネル情報の処理を行うように順次ポーリングして切り換えるようにすることで、μｃｏｎＡ７とμｃｏｎＢ６間にコントロールライン１４を設けることなくチャンネル情報の切換制御を行うことが可能となる。
【００４８】
なお、本発明の実施の形態としてケーブルボックスのチャンネル選局機能、及び電子番組ガイド機能を備えた録画装置に適用した場合について説明したが、これに限定されることなく、ケーブルボックスのチャンネルを選局する機能を備えている電子機器であれば適用することができる。
【００４９】
【発明の効果】
以上説明したように本発明は記録装置においては、番組ガイド情報に基づいた操作入力に応じて、記録手段に供給すべき放送信号を出力することができる第１の制御手段と、第１の制御手段の機能がオフとされている際に、操作入力に応じて、記録手段に供給すべき放送信号を出力することができる第２の制御手段とを設けるようにしているため、電子番組ガイドの受信契約をしていない場合、或は電子番組ガイドを利用しないでケーブルテレビジョン番組の録画予約を行った場合でも、外部の受信装置のチャンネルの選局を行うことができる。
【００５０】
また、第２の制御手段によって、第１の制御手段及び第２の制御手段の選択制御を行うようにしているため、複数の要求が任意のタイミングで発生しても対応することができるという利点がある。
また、第１の制御手段及び第２の制御手段の選択は、順次ポーリングを行って制御することも可能であり、この場合ハードの構成を簡略化することができる。
【図面の簡単な説明】
【図１】本発明の録画装置の実施の形態の構成を示すブロック図である。
【図２】本発明の実施の形態の録画装置においてμｃｏｎＡから出力されるパルス信号の一例を示した図である。
【図３】本発明の実施の形態の録画装置においてμｃｏｎＣにおける処理の一例を示した図である。
【図４】本発明の実施の形態の録画装置においてμｃｏｎＣにおける処理の一例を示した図である。
【図５】電子番組ガイドのメニュー画面を示す図である。
【図６】電子番組ガイドを利用して録画予約する方法の表示画面を示す図である。
【図７】録画日時や録画時間等を入力することにより録画予約する方法の表示画面を示す図である。
【図８】従来の録画装置の実施の形態の構成を示すブロック図である。
【符号の説明】
１  録画装置
３  チューナー回路
４  録画回路
５  電子番組ガイド装置
６  μｃｏｎＢ
６ａ  スライス／デコード回路
６ｂ  表示回路
７  μｃｏｎＡ
７ａ  パルス出力回路
８  リモコン入力回路
９  表示手段
１０  リモコン
１１  ＳＲＡＭ
１２  μｃｏｎＣ
１２ａ  パルス受信回路
１３  発光部
２０  ケーブルボックス
２１  テレビジョン受像機
【図１】
0003613861.tif 000002
【図２】
0003613861.tif 000003
【図３】
0003613861.tif 000004
【図４】
0003613861.tif 000005
【図５】
0003613861.tif 000006
【図６】
0003613861.tif 000007
【図７】
0003613861.tif 000008
【図８】
0003613861.tif 000009